(57)【要約】【課題】  医療過誤を防止するとともに、輸液の終了を的確に報知するための簡単な構成の輸液容器、輸液終了報知システムの提供。【解決手段】  少なくとも２つのＩＣタグを備え、ＩＣタグのうち１つは、輸液容器がセットされた状態において収納された薬剤と輸液容器を介して接しない箇所に設けられ、他方のＩＣタグは、輸液容器の底部または先端部付近に設けられ、薬剤と輸液容器を介して接しない箇所に設けられたＩＣタグは少なくとも収容された薬剤に関する薬剤データを記録した記憶部と、記憶部に接続される無線通信部とを有することを特徴とするＩＣタグを備えた輸液容器である。【選択図】  図１
2007000487.tif 000002
【特許請求の範囲】
【請求項１】
少なくとも２つのＩＣタグを備え、
前記ＩＣタグのうち１つは、前記輸液容器がセットされた状態において収納された前記薬剤と該輸液容器を介して接しない箇所に設けられ、他方のＩＣタグは、前記輸液容器の底部または先端部付近に設けられ、
前記前記薬剤と該輸液容器を介して接しない箇所に設けられたＩＣタグは少なくとも収容された薬剤に関する薬剤データを記録した記憶部と、前記記憶部に接続される無線通信部とを有することを特徴とするＩＣタグを備えた輸液容器。
【請求項２】
請求項１に記載の輸液容器を用いた輸液ポンプであって、ポンプ手段を備え、前記無線通信部との間で無線通信を行なう無線通信部を備えたことを特徴とする輸液容器を用いる輸液ポンプ。
【請求項３】
請求項１に記載の輸液容器を用いたシリンジポンプであって、シリンジの押子を押圧する押圧手段を備え、前記無線通信部との間で無線通信を行なう無線通信部を備えたことを特徴とする輸液容器を用いるシリンジポンプ。
【請求項４】
請求項１または２に記載の輸液容器を用いた輸液終了報知システムであって、前記無線通信部との間で無線通信を行なう無線通信部を備えたことを特徴とする輸液容器を用いた輸液装置。
【請求項５】
前記無線通信部は、院内のＬＡＮなどでホストコンピュータ，ナースセンターとの間で送受信可能とされていることを特徴とする請求項４に記載の輸液終了報知システム。
【請求項６】
１つのＩＣタグに書込まれた情報を無線通信部により読取るステップと、
読取られた情報を表示部に表示させるステップと、
輸液開始後、所定の間隔で所定の周波数で複数のＩＣタグに書込まれた情報を無線通信部により読取るステップと、
複数のＩＣタグの情報が読取られたことを条件に輸液終了と判断するステップと、
輸液終了の旨を報知するステップと、からなることを特徴とする輸液終了報知方法。
【請求項７】
１つのＩＣタグに書込まれた情報を無線通信部により読取るステップのプログラムコードと、
読取られた情報を表示部に表示させるステップのプログラムコードと、
輸液開始後、所定の間隔で所定の周波数で複数のＩＣタグに書込まれた情報を無線通信部により読取るステップのプログラムコードと、
複数のＩＣタグの情報が読取られたことを条件に輸液終了と判断するステップのプログラムコードと、
輸液終了の旨を報知するステップのプログラムコードと、からなることを特徴とする輸液終了報知方法のプログラムコードが記憶されたコンピュータ可読記憶媒体。
【発明の詳細な説明】
【技術分野】
【０００１】
本発明は、輸液容器とこれを用いたこれを用いた輸液終了報知システムに係り、簡単なシステムで、薬剤の取り違いや、投与条件の設定などのミスを未然に防止するとともに、確実に輸液終了を報知する技術に関するものである。
【背景技術】
【０００２】
医療現場において、主に看護師の不足により薬剤の取り違えミスや投与条件の設定ミスによる医療過誤が多く社会問題化している。このような問題に対処する為に、薬剤容器にバーコードを貼り付け、薬液注入ポンプにセットする時にバーコードリーダで読取り、照合するという方法が提案されている（例えば、特許文献１）。
【特許文献１】特表平５−５００９１７号公報
【０００３】
しかしながら、薬剤容器を薬剤注入装置の装填部に正しくセットする際に、バーコードの面とバーコードリーダの読取面とを合わせなければならないという煩わしい作業が伴うこととなる。また小さい薬剤容器の場合には、バーコードを貼り付ける面積がないという問題がある。
【０００４】
さらに、輸液容器(輸液バッグ)と輸液セットはベッドサイドで接続することが多いが、薬剤の入った輸液バックを特定しても、蠕動式ポンプの場合には接続チューブのみセットすることで、違う設定状態にセットされた輸液ポンプに対して誤って接続してしまうおそれも指摘されている。また、輸液の終了時を検出し、ナースセンターなどに報知する点滴終了報知装置も提案されている（例えば、特許文献２）。
【特許文献２】特開平１１−２９９８８８号公報
【０００５】
また、薬剤注入装置において、ＩＣタグを使用することも提案されているが、薬剤などが収納されている箇所に設けられているＩＣタグからはそこに記憶されている各種情報を読取れないという問題がある。また、医療過誤を防止するとともに、輸液の終了を的確に報知するための簡単な構成の輸液容器、輸液終了報知システムは提案されていない。
【発明の開示】
【発明が解決しようとする課題】
【０００６】
従って、本発明は上記の問題点に鑑みてなされたものであり、医療過誤を防止するとともに、輸液の終了を的確に報知するための簡単な構成の輸液容器、輸液終了報知システムの提供を目的としている。
【課題を解決するための手段】
【０００７】
上述した課題を解決し、目的を達成するために、本発明は、少なくとも２つのＩＣタグを備え、ＩＣタグのうち１つは、輸液容器がセットされた状態において収納された薬剤と輸液容器を介して接しない箇所に設けられ、他方のＩＣタグは、輸液容器の底部または先端部付近に設けられ、薬剤と輸液容器を介して接しない箇所に設けられたＩＣタグは少なくとも収容された薬剤に関する薬剤データを記録した記憶部と、記憶部に接続される無線通信部とを有することを特徴とするＩＣタグを備えた輸液容器である。
【０００８】
また、上記の輸液容器を用いた輸液ポンプであって、ポンプ手段を備え、前記無線通信部との間で無線通信を行なう無線通信部を備えたことを特徴とする輸液容器を用いる輸液ポンプである。また、上記の輸液容器を用いたシリンジポンプであって、シリンジの押子を押圧する押圧手段を備え、前記無線通信部との間で無線通信を行なう無線通信部を備えたことを特徴とする輸液容器を用いるシリンジポンプである。
【０００９】
また上記の輸液容器を用いた輸液終了報知機能を備えた輸液装置であって、無線通信部との間で無線通信を行なう無線通信部を備えたことを特徴とする輸液容器を用いた輸液装置である。また、無線通信部は、院内のＬＡＮなどでホストコンピュータ，ナースセンターとの間で送受信可能とされていることを特徴とする輸液終了報知システムである。また、１つのＩＣタグに書込まれた情報を無線通信部により読取るステップと、読取られた情報を表示部に表示させるステップと、輸液開始後、所定の間隔で所定の周波数で複数のＩＣタグに書込まれた情報を無線通信部により読取るステップと、複数のＩＣタグの情報が読取られたことを条件に輸液終了と判断するステップと、輸液終了の旨を報知するステップと、からなることを特徴とする輸液終了報知方法である。また、１つのＩＣタグに書込まれた情報を無線通信部により読取るステップのプログラムコードと、読取られた情報を表示部に表示させるステップのプログラムコードと、輸液開始後、所定の間隔で所定の周波数で複数のＩＣタグに書込まれた情報を無線通信部により読取るステップのプログラムコードと、複数のＩＣタグの情報が読取られたことを条件に輸液終了と判断するステップのプログラムコードと、輸液終了の旨を報知するステップのプログラムコードと、からなることを特徴とする輸液終了報知方法のプログラムコードが記憶されたコンピュータ可読記憶媒体である。
【発明の効果】
【００１０】
本発明によれば、医療過誤を防止するとともに、輸液の終了を的確に報知するための簡単な構成の輸液容器、輸液終了報知システムが得られる。また、輸液ポンプ，シリンジポンプ等の輸液装置を用いないで輸液容器から薬剤を注入する場合でも、点滴プローブなどを用いることなく輸液の終了報知をナースセンター，院内のホストコンピュータなどに行なうことができ患者に対する処方の状態の把握、終了が一元管理できる。
【発明を実施するための最良の形態】
【００１１】
＜実施例１＞
以下に本発明の第１の実施の形態であって、輸液容器を輸液バッグとし、輸液装置として蠕動式輸液ポンプを用いて輸液容器から薬剤を注入する場合について説明する。図１において、輸液バッグ１６には、薬剤である輸液剤や生理食塩水等の薬剤が処方に基づいて収納されている。図１（ｃ）に示すように、輸液スタンドの頂部のフックに吊された状態で患者に輸液が行なわれる。輸液バッグ１６は、輸液開始前で、輸液スタンドの頂部のフックに吊された状態においては、上部には気体（空気，窒素）が存在している。また、輸液バッグ１６の上部（気体が存在している領域）にはＲＦＩＤ（ＩＣタグ）１７ａが設けられている。
【００１２】
図５は、ＲＦＩＤ１７ａの概略のブロック図である。図５において、ＲＦＩＤ（識別タグ）１７ａは、アナログ入出力回路部１００８とデジタル回路であるＣＰＵ１０００とから構成されている。アナログ入出力回路部１００８には、第１の無線通信部であるループアンテナ１００７ａに接続されることでアンテナ２１５を介して発信される所定周波数の無線をアンテナ１００７ａを介して受信する無線周波数回路（ＲＦ回路）１００７が接続されている。この無線周波数回路１００７にはＣＰＵ１０００に対して所定電圧を供給する電源部１００５と、読み取られた薬剤データをデジタル信号化してＣＰＵ１０００に送るための第１信号制御部１００６ａと、クロック信号を発生してＣＵＰ１０００を起動及び駆動するクロック部１００４とが接続されている。なお、ＣＰＵ１０００から送られた時間と流量に関するデジタル信号をアナログ信号に変換して無線周波数回路１００７に送る第２信号制御部１００６ｂを必要に応じて備えていてもよい。
【００１３】
一方、ＣＰＵ１０００は、ＲＯＭ１００２に接続されている。ＲＯＭ１００２には、薬剤に関する薬剤データ(薬剤識別データ等の薬剤そのものの識別データ、薬剤識別コード等の薬剤そのものの薬剤識別データ、標準医薬品コード標準医薬品番号(連番等)等の薬剤認識データ、それぞれの病院等の医療機関で定めた任意の番号,コード等の少なくともいずれかを含む)が記憶されている。
【００１４】
１００１は、フラッシュメモリ等のデータの書換え可能なＥ2ＰＲＯＭである。Ｅ2ＰＲＯＭ１００１には、薬剤の種類及び濃度と、輸液時における流量の上・下限値、時間と流量の双方またはいずれか一方の薬剤データ等、医師などの医療従事者が変更できないデータの記憶、医師などの医療従事者がデータ入力装置を用いて書換可能なデータ(担当医, 担当医コード，患者名，患者コード，病棟・病室等のコード等)を入力、記憶可能としている。ＲＡＭ１００３は、信号処理の際における記憶部として使用される。
【００１５】
このＲＦＩＤ１７ａは、大きな面積を占有するループアンテナ１００７ａに接続される集積回路チップをベース上に特殊印刷したものであり、これ自体には電源を有しておらず、ループアンテナで受信した電波による電磁誘導により発電を行い、この発電で回路を駆動することで読取り及び書換えを行うように構成されている。このＲＦＩＤ１７ａは、薬剤認識コードとしての役割を果たす。
【００１６】
輸液バッグ１６の底部には、吊り下げられた状態で、収納された薬剤と輸液バッグ１６を介して接するようにもう１つのＲＦＩＤ（ＩＣタグ）１７ｂを備えている。ＲＦＩＤ１７ｂは、必ずしも上述のＲＦＩＤ１７ａと同様の構成にする必要はなく、必要最小限のＣＰＵ，ＲＯＭ，ＲＡＭ，アンテナ部で構成される。また、ＲＦＩＤ（ＩＣタグ）１７ｂの記憶部に記憶されるデータは、特に限定されるものでなく、連番（シリアル番号）のみでもよく、患者コード等を記憶しておいてもよい。こうして、輸液バッグ１６には複数個、少なくとも２ケのＲＦＩＤ（ＩＣタグ）が設けられている。また、ＲＦＩＤ（ＩＣタグ）１７ｂは、輸液バッグ１６の底部でなく、輸液チューブ１９の輸液バッグ１６の近傍の適所に設けてもよい。
【００１７】
（輸液ポンプでの輸液終了報知）
次に、輸液ポンプを用いた場合の輸液終了報知について説明する。図３は、輸液ポンプ１のブロック図である。輸液ポンプ１の動作全体を制御するＣＰＵ（制御部）１００、点滴プローブ１０１、点滴速度検出部１０１ａ、ドアの開閉の有無を検出するドア部検出回路１０２、輸液チューブ１９の閉塞の有無を検出する閉塞検出回路１０３、輸液チューブ１９内の所定長さ以上の気泡（エア）の有無を検出する気泡検出回路１０４、輸液流量，輸液速度等を設定・入力する設定／入力部１０５、輸液の開始，ＲＦＩＤの読取り開始の指示を行うための開始スイッチ１０６、電源スイッチ１０７、ＲＦＩＤの読取りを無線で行なうために無線通信部１５を構成するアンテナ１１５，ＲＦＩＤの読取部１１５ａ、モータ１１６を駆動させるためのモータ駆動回路１１６ａ、アラーム等のブザー１１７を駆動するためのブザー駆動回路１１７ａ、ＬＥＤなどの表示部１１８を駆動するための表示部駆動回路１１８ａ、動作インジケータ１１４を駆動するための動作表示部駆動回路１１４ａ、ナースセンター，院内ホストコンピュータ等とのデータ送受信のための外部通信部１１９、ＤＣ／ＡＣ電源１２０等で構成されている。
【００１８】
患者への輸液準備が整うと、以下のフローで輸液終了の判断・報知の処理が行なわれる。輸液ポンプ１のドア１２に設けられた操作パネル１２ａの読取開始スイッチ１０６の操作（ステップＳ１）により、好ましくは２.４５ＧＨｚの周波数を用いて、アンテナ１１５を介してＲＦＩＤ１７ａのデータが読取られる（ステップＳ２）。読取られたデータのうち、少なくとも患者名、薬剤名が表示部２１８に表示される（ステップＳ３）。看護師等の医療従事者は表示部２１８に表示された患者名等を確認の上、輸液を開始するために開始スイッチ１０６の操作により輸液開始を行う（ステップＳ４）。輸液の状況は、点滴プローブによるフィードバック制御により行われる。読取り開始スイッチと輸液開始スイッチを同一にして押圧回数の違いでいずれの動作を開始するかを区別してもよいし、別々にスイッチを設けてもよい。
【００１９】
輸液ポンプ１では上述したように、気泡，閉塞，バッテリ電位低下等各種のアラーム検出・表示機能を備えている。通常の輸液の状況では、ＬＥＤ等による動作インジケータ１１４が例えば緑色で動作し、アラームを報知する状況では例えば赤色で点灯（点滅）動作するようになっている。また、輸液動作中、無線通信部１５により、好ましくは２.４５ＧＨｚの周波数を用いてもう１つのＲＦＩＤ（ＩＣタグ）１７ｂの読取りを所定周期(所定間隔)、例えば１分間隔で行なう。
【００２０】
薬剤が輸液バッグ１６に残存している場合には、ＲＦＩＤ（ＩＣタグ）の特性のためＲＦＩＤ（ＩＣタグ）１７ｂの読取りができない（ステップＳ５）。輸液が終了し、輸液バッグ１６に薬剤が残存してないとＲＦＩＤ（ＩＣタグ）１７ｂのデータを読取ることができる（ステップＳ５）。こうして、輸液終了と判断し（ステップＳ６）、輸液ポンプ１の駆動を停止させ（ステップＳ７）、その旨の報知し（ステップＳ８）、輸液を終了する（ステップＳ９）。この輸液終了の報知は、外部通信部１１９を経て、院内ホストコンピュータ，ナースセンターのコンピュータ等に報知するようにすれば、図７に示すように、表示画面に表示させて一元管理できようになっている。この処理フローのプログラムは、輸液ポンプ１のＣＰＵ１００，ＲＡＭなどに記憶されている。
【００２１】
＜実施例２＞
（自然落下での輸液終了報知）
次に、自然（重力）落下での輸液終了報知について説明する。図面は、図１（ｃ）を援用する。患者への輸液準備が整うと、看護師等の医療従事者がＲＦＩＤ読取り機能を備えた携帯端末（不図示）等でＲＦＩＤ１７ａのデータを、好ましくは２.４５ＧＨｚの周波数を用いて読取る。読取られたデータのうち、少なくとも患者名、薬剤名が携帯端末の表示部（不図示）に表示される。看護師等の医療従事者は表示部に表示された患者名等を確認の上、点滴量（点滴速度）を調整し、輸液の開始を行う。輸液の開始の情報は、携帯端末からＬＡＮ１１００の端末に設けられたＲＦＩＤ読取部１１１５により読み取られ、院内ホストコンピュータ，ナースセンターのコンピュータ等に報知するようにされている。ＲＦＩＤ読取部１１１５で、好ましくは２.４５ＧＨｚの周波数を用いてＲＦＩＤ（ＩＣタグ）１７ｂの読取りを所定周期(所定間隔)、例えば１分間隔で行なう。
【００２２】
薬剤が輸液バッグ１６に残存している場合には、ＲＦＩＤ（ＩＣタグ）の特性のためＲＦＩＤ（ＩＣタグ）１７ｂの読取りができない。輸液が終了し、輸液バッグ１６に薬剤が残存してないとＲＦＩＤ（ＩＣタグ）１７ｂのデータを読取ることができる。こうして、輸液終了と判断し、その旨の報知をすることができる。この輸液終了の報知は、院内ＬＡＮ１１００等を経て、院内ホストコンピュータ，ナースセンターのコンピュータ等に報知され、図７に示すように、表示画面に表示させて一元管理できようになっている。この処理フローのプログラムは、院内ホストコンピュータ，ナースセンターのコンピュータ等のＣＰＵ，ＲＡＭなどに記憶されている。
【００２３】
＜実施例３＞
（シリンジポンプでの注入終了報知）
次に、シリンジポンプを用いた場合の注液終了報知について図２に基づいて説明する。図４は、輸液ポンプ１のブロック図である。シリンジポンプ２の動作全体を制御するＣＰＵ（制御部）２００、セットされるシリンジ２６の外径を検出するシリンジ径検出回路１０１、シリンジ２６内の薬液の残量を検出する残量検出回路２０２、輸液チューブの閉塞の有無を検出する閉塞検出回路２０３、押し子２６ｃの外れやクラッチ２２２の外れを検出する押子／クラッチ外れ検出２０４、シリンジ２６内の薬剤の患者への注入速度等を設定・入力する設定／入力部２０５、注入の開始，ＲＦＩＤの読取り開始の指示を行うための開始スイッチ２０６、電源スイッチ２０７、ＲＦＩＤの読取りを無線で行なうために無線通信部を構成するアンテナ２１５，ＲＦＩＤの読取部２１５ａ、モータ２１６を駆動させるためのモータ駆動回路２１６ａ、アラーム等のブザー２１７を駆動するためのブザー駆動回路２１７ａ、ＬＥＤなどの表示部２１８を駆動するための表示部駆動回路２１８ａ、動作インジケータ２１４を駆動するための動作表示部駆動回路２１４ａ、ナースセンター，院内ホストコンピュータ等とのデータ送受信のための外部通信部２１９、ＤＣ／ＡＣ電源２２０等で構成されている。
【００２４】
シリンジ２６はシリンジ外筒２６ａ、フランジ２６ｂ、押し子２６ｃ、ガスケット２６で構成されている。シリンジ２６に充填されている薬剤２８は、鎮痛剤等製造メーカーが予め所定の薬剤を予め充填した、いわゆるプレフィルドシリンジ、病院内等で調剤して充填するシリンジがある。シリンジポンプ２のクランプ２００を持ち上げ、シリンジ２６のフランジ２６ｂをスリット２２１に挿入し、クラッチ２２２で押し子２６ｃを把持させた後、クランプ２２３を下げることにより、シリンジ２６がシリンジポンプ２にセットされる。
【００２５】
シリンジポンプ２は、上述の設定／入力部２０５，開始スイッチ２０６、電源スイッチ２０７，表示部２１８等を含む操作パネル２０、各種条件設定を行う設定ダイヤル２０ａ、本体２１、動作インジケータ２１４等からなる。また、ＲＦＩＤのデータを無線で読取るために、アンテナ１１５，ＲＦＩＤ読取部１１５ａを備えている。患者への注入準備が整うと、シリンジポンプ２の操作パネル２０に設けられた開始スイッチ２０６の操作により、好ましくは２.４５ＧＨｚの周波数を用いて、アンテナ２１５を介してＲＦＩＤ１７ａのデータが読取られる。読取られたデータのうち、少なくとも患者名、薬剤名が表示部２１８に表示される。看護師等の医療従事者は表示部２１８に表示された患者名等を確認の上、注入を開始するために開始スイッチ２０６の操作により注入開始を行う。注入の状況は、押子／クラッチ外れ検出回路２０４、閉塞検出回路等で行なわれる。通常の動作で注入が続行している場合にはＬＥＤ等による動作インジケータ２１４が例えば緑色で動作し、アラームを報知する状況では例えば赤色で点灯（点滅）動作するようになっている。
【００２６】
シリンジ２６に設けられたＲＦＩＤ２７ａのデータがアンテナ２１５、ＲＦＩＤ読取部２１５ａにより、好ましくは２.４５ＧＨｚの周波数を用いて読取られる。読取られたデータのうち、少なくとも患者名、薬剤名が表示部２２に表示される。看護師等の医療従事者は表示部２２に表示された患者名等を確認の上、開始スイッチ２０６の操作により注入開始を行う。読取り開始スイッチと注入開始スイッチを同一にして押圧回数の違いでいずれの動作を開始するかを区別してもよいし、別々にスイッチを設けてもよい。
【００２７】
薬剤がシリンジ２６内に残存している場合には、ＲＦＩＤ（ＩＣタグ）の特性のためＲＦＩＤ（ＩＣタグ）２７ｂの読取りができない。ＲＦＩＤ読取部１１５で、好ましくは２.４５ＧＨｚの周波数を用いてＲＦＩＤ（ＩＣタグ）１７ｂの読取りを所定周期(所定間隔)、例えば１分間隔で行なう。薬液の注入が終了し、シリンジ２６内に薬剤が残存してないとＲＦＩＤ（ＩＣタグ）２７ｂのデータを読取ることができる。こうして、薬液の注入終了と判断し、その旨の報知をすることができる。この薬液の注入終了の報知は、外部通信部２１９を経て、院内ホストコンピュータ，ナースセンター，携帯端末等のコンピュータ等に報知するようにすれば、図７に示すように、表示画面に表示させて一元管理できようになっている。この処理フローのプログラムは、シリンジポンプ２のＣＰＵ２００，ＲＡＭなどに記憶されている。図７（ａ）は、患者ごとに、識別番号、病棟、病室、投与状態等を一覧表示する例で、輸液（注入）が終了すると点滅(点灯)または色別表示するようにした例である。図７（ｂ）は、患者の個別データで、図７（ｂ）の表示と併せて表示することで一元管理が極めて容易となる。
【００２８】
以上、実施例に基づいて説明したが、本発明は実施例に限定されるものでなく、適宜設定変更が可能である。
【図面の簡単な説明】
【００２９】
【図１】本発明の実施例１〜２の輸液システムの概略図である。
【図２】本発明の実施例３に用いるシリンジ及びシリンジポンプの外観斜視図である。
【図３】本発明の実施例１の輸液システムの輸液ポンプのブロック図である。
【図４】本発明の実施例３のシリンジポンプのブロック図である。
【図５】本発明の実施例１〜３に用いるＲＦＩＤのブロック図のブロック図である。
【図６】本発明の実施例１におけるフローチャートである。
【図７】本発明の実施例１〜３におけるモニタ画面である。
【符号の説明】
【００３０】
１  蠕動式輸液ポンプ、２  シリンジポンプ、１７ａ  ＲＦＩＤ、１７ｂ  ＲＦＩＤ、１９  輸液チューブ、２６  シリンジポンプ、１１５，２１５  アンテナ、１００７ａ  アンテナ
【図１】
2007000487.tif 000003
【図２】
2007000487.tif 000004
【図３】
2007000487.tif 000005
【図４】
2007000487.tif 000006
【図５】
2007000487.tif 000007
【図６】
2007000487.tif 000008
【図７】
2007000487.tif 000009